(57)【特許請求の範囲】
【請求項１】
軸筒内に複数のリフィールを備え、選択されたリフィールの筆記先端部を出没可能にした出没式複合筆記具において、
該軸筒内周面のリフィール側面に対応する位置に、
軸筒の軸心方向に突出する多数の軟性突起を設け、該軟性突起の先端が略点状である
ことを特徴とする出没式複合筆記具。
【請求項２】
前記軟性突起の間隔が、少なくともいずれかのリフィールに同時に２以上の軟性突起が接触可能な間隔である
ことを特徴とする請求項１に記載の出没式複合筆記具。
【請求項３】
前記軟性突起が、軸筒軸方向に配列したリブ状体で構成される
ことを特徴とする請求項１又は２に記載の出没式複合筆記具。
【請求項４】
前記出没式複合筆記具において、
前記軸筒内に配置される円管形の位置調整管と、
該位置調整管により位置が規制され前記軟性突起を内面に設けた円環形基材と
を備えたことを特徴とする請求項１ないし３のいずれかに記載の出没式複合筆記具。  
【発明の詳細な説明】
【技術分野】
【０００１】
本発明は、複数のリフィールの筆記先端部を選択的に出没可能にした出没式複合筆記具に関し、特にリフィールが静音で円滑に動作する技術に係わるものである。
【背景技術】
【０００２】
スライドする押子やノック機構によって、軸筒内に備えられたリフィールの筆記先端部を筆記具前端の先口から出没させる構成が周知である。
例えば、本件出願人による特許文献１のように、複数色のリフィールを、軸筒後端近傍の押子のスライド操作により切り替えて出没させる出没式多色筆記具（複合筆記具）や、特許文献２のように、押子の他にノック部を設けてシャープペンシル用リフィールの芯の繰り出し操作を行えるようにした筆記具がある。
【０００３】
複合筆記具においては２本ないし５本程度のリフィールが内蔵されるため、リフィール同士が軸筒内で衝突したり、リフィールと軸筒とが衝突することにより操作しにくいことがあったり、シャカシャカという音が生じることがある。
特に金属製の軸筒を用いるような高級な筆記具の場合に、金属製のリフィールと軸筒とが衝突すると金属が擦れる不快な音を生じるため、これを防止する必要がある。
【０００４】
また、軸筒内で強く衝突すると、シャープペンシル用のリフィールにおいて芯折れが発生することもあることから、単に音の発生を防止するだけでなく、衝突による衝撃を和らげうる構造が望ましい。
【０００５】
関連する技術として、特許文献３に開示される技術では、軸筒先端から筆記体の筆記部分を出没させる複合筆記具において、軸筒の少なくとも前方部を金属で形成すると共に、この金属部軸筒内面に樹脂層を形成することを提案している。
本技術の効果として、筆記具を誤って地面等に落としても、ボールペンのペン先の潰れを防止できるのでインキ洩れ発生がないことが挙げられている。
このように金属部軸筒内面に樹脂層を形成すれば、ボールペンのペン先の損傷は防ぐことができることから、動作不良の原因を除去する技術と言うことができる。
【０００６】
ところで本技術は軸筒自体を金属で構成した上で、その金属部軸筒内全部に樹脂層を形成するものである。該文献で開示されるような軸筒が先口と一体的に形成される構成においては、軸筒内に樹脂層を形成することはさほど困難ではない。
【０００７】
一方、先口と軸筒とを別体から構成し、先口を軸筒に取り付けて組み立てる筆記具も周知であり、このような構成をとることで外観の美匠性の向上や製造工程の簡略化、リフィールのメンテナンス性の向上等に寄与している。
しかし、こうした筆記具では、上記特許文献３で開示される先口と軸筒が一体形成された場合の技術をそのまま適用することができず、複数の課題が残る。
すなわち、特許文献３は一体である先口と軸筒に同時に樹脂層を形成する構成をとっているが、先口と軸筒とを別体で構成した場合には組立後に樹脂層を形成せざるを得ず、しかも樹脂層を形成してしまうと先口と軸筒が固着するために先口を軸筒から分離することができない。
【０００８】
出没式複合筆記具の場合には、軸筒内に余裕があるため上記した衝突音が特に生じやすい。特に高い付加価値を持たせた高級筆記具ではこのような衝突音を防止することが求められているが、有効な方法は提案されていない。
例えば、特許文献４には筆記先端部の振れを防止する技術として先端部位置にＯリングを設ける構成が開示されているが、先端部の振れ防止には寄与するものの、出没式複合筆記具において没入したリフィールが振動する際の音の防止を実現するものではない。
【０００９】
【特許文献１】特許第3168200号公報
【特許文献２】特開2003-39888号公報
【特許文献３】特開2001-63283号公報
【特許文献４】実開平5-85683号公報
【発明の開示】
【発明が解決しようとする課題】
【００１０】
本発明は、上記従来技術の有する問題点に鑑みて創出されたものであり、出没式複合筆記具の軸筒内でリフィールと軸筒内周やリフィール同士が衝突するのを防ぎ、衝突音を抑制すると共に、シャープ芯の芯折れを抑制し、リフィールの円滑な出没動作を実現する技術を提供することを目的とする。
【課題を解決するための手段】
【００１１】
上記課題を解決するため、本発明は次のような手段を用いる。
本発明は、軸筒内に複数のリフィールを備え、軸筒前端に取り付けた先口から選択されたリフィールの筆記先端部を出没可能にした出没式複合筆記具に適用されるものである。そして、請求項１に記載の発明は、上記の軸筒内周面のリフィール側面に対応する位置に、軸筒の軸心方向に突出する多数の軟性突起を設ける。
出没式複合筆記具には２本ないし５本程度のリフィールを備える構成が公知であり、シャープペンシル用のリフィールを含んでいてもよい。
【００１２】
そして、上記の軟性突起の先端が略点状であることを特徴とする。すなわち、軟性突起の先端とリフィールが点接触、又は長さの十分に短い線接触とすることが望ましい。
【００１３】
請求項２に記載の発明は、上記軟性突起の間隔が、少なくともいずれかのリフィールに同時に２以上の軟性突起が接触可能な間隔であることを特徴とする。具体的には軸筒とリフィールの径や軟性突起の高さによって異なるが、例えば標準的な太さの筆記具においては１０本ないし２０本程度の軟性突起を設けることができる。軟性突起はブラシ状に多数の毛から構成してもよい。
【００１４】
請求項３に記載の発明は、軟性突起が、軸筒軸方向に配列したリブ状体で構成されることを特徴とする。この場合、軸方向にはなるべく薄く、長さが１ｍｍないし５ｍｍのリブ状体を用いることができる。
【００１５】
請求項４に記載の発明は、上記の出没式複合筆記具において、軸筒内に配置される円管形の位置調整管と、該位置調整管により位置が規制され軟性突起を内面に設けた円環形基材とを備えたことを特徴とする。
【発明の効果】
【００１６】
本発明は、以上説明したように構成されているので、次のような作用効果を奏する。
請求項１に記載の発明によれば、リフィール側面に対応する位置に軟性突起を備えることで、リフィールが振動したときに該軟性突起の先端と干渉し、振動を抑えることができる。また、突起を多数設けることで、複数のリフィールがどの向きに振動しても軟性突起によって容易に抑制することができる。
【００１７】
請求項２に記載の発明によれば、リフィールが２以上の軟性突起に接触可能な間隔で軟性突起を設けるので、リフィールが軟性突起間に進入して軸筒内周面と直接衝突することがない。
また、２以上の軟性突起と接触することで軟らかい素材の軟性突起であっても十分な強度でリフィールの振動を抑制することができる。
【００１８】
請求項３に記載の発明によれば、軟性突起の先端を略点状とすることで接触面積が小さく、振動時以外にリフィールと軟性突起が干渉することを防止することができる。特に出没式複合筆記具ではリフィールが出没時に摺動するため、軟性突起と通常接触せず、仮に接触しても最低限にとどめることが望ましく、略点状とすることが有効である。
【００１９】
請求項４に記載の発明によれば、軟性突起を軸方向のリブ状体で構成するので、リフィールが前後に摺動する際に接触しても大きな摩擦がない。また、リブ状体により強度が十分に確保しやすく、生産が容易である。
【００２０】
請求項５に記載の発明は、位置調整管を備えることにより軟性突起を最適な位置に配置することができる。特に軟性突起はリフィールが摺動する軌跡においてリフィールの凹凸と干渉しない部位に設けることが好ましい。
さらに、位置調整管を樹脂等で構成することにより、軸筒の内周面を覆うことができるため、上記従来技術で述べた樹脂被覆に代わって、リフィールと軸筒内周面との衝突音を抑制することができる。
【発明を実施するための最良の形態】
【００２１】
以下、本発明の実施の形態を図面に基づいて説明する。
図１には本発明に係る出没式複合筆記具１（以下、単に筆記具と呼ぶ。）の正面断面図、図２には同、正面図を示す。本実施例に係る筆記具１は、前端（筆記部側）から順に先口１０、前部軸筒１１、後部軸筒１２、後部キャップ１３が組み立てられて１本の筆記具を構成すると共に、先口１０の先端からは内装された複数のリフィール２０・３０・４０・４１（図１・２上では図示されていない）が選択的に出没するようになっている。
また、後部軸筒１２にはクリップ１４が付設されている。
【００２２】
本実施例では、リフィールとしてシャープペンシル用リフィール２０と、３本のボールペン用リフィール３０・４０・４１とをそれぞれ備えている。ボールペン用リフィール３０・４０・４１はそれぞれ色の異なるリフィールである。なお、ボールペン用リフィール３０・４０・４１は同一の構成であるから、以下ではボールペン用リフィール３０についてのみ説述する。
【００２３】
シャープペンシル用リフィール２０は、筆記先端部である芯挿通管２１からシャープペンシルの芯２２が繰出し機構２３により繰り出される。
繰出し機構２３は、芯タンク２４の前端に設けられたチャック（図示せず）、該チャックの外周で軸方向へスライドするチャックリング（図示せず）、チャックおよび芯タンク２４を後方へ付勢するスプリング（図示せず）等を具備する。
そして、後部キャップ１３を前方に押すことによって、後部軸筒１２が前部軸筒に対して摺動するのに伴い、チャックを進退させて、芯２２を前方へ繰り出す。
【００２４】
また、ボールペン用リフィール３０は、筆記先端部であるチップ３１の先端に転写ボール３２を回動自在に保持し、該転写ボール３２が紙上で回転することによってインク収容管３３内に充填された油性又は水性インクが紙に転写される。
各リフィールの構成は上記に限らず任意に公知技術を用いることができ、マーカー用リフィールなど他のリフィールを備えてもよい。
【００２５】
シャープペンシル用リフィール２０の後端には該リフィールを出没させる際に係合部となるシャープペンシル用スライド駒２５を備え、同様にボールペン用リフィール３０の後端にもボールペン用スライド駒３４を備えている。
そして、後部軸筒１２を前部軸筒１１に対して回動させることによって、内部の回転カム１５がシャープペンシル用スライド駒２５やボールペン用スライド駒３４と係合し、それぞれ前方に突出させたり、後方に没入させるように構成している。
【００２６】
このような回転繰り出し式筆記具についても公知であり、例えば特許文献５のような構成が本件出願人により提案されている。
また、上記特許文献２のような筆記具後部に設けた押子を前後にスライドさせることにより複数のリフィールのいずれかを選択して出没させると共に、シャープペンシル用リフィールの芯繰り出し動作を軸筒後端のノック操作によって容易に行うことのできる構成も周知である。
【００２７】
【特許文献５】特開２００１-７１６７９号公報
【００２８】
図３には出没式複合筆記具１のＡ-Ａ断面図を示す。該断面図において後部軸筒１２の内部にガイド部材５０が配設されており、各リフィールが摺動する際にその動きをガイドする。図４に示すように、ガイド部材５０は、前部に前端が開放している管状部５１、略中央に各リフィールが挿通する孔が設けられた挿通孔部５２、後部にスライド駒２５・３４が摺動するスライド駒摺動部５３、後端に後部軸筒１２内のカムと嵌合する嵌合部５４を有している。
そして、図３のように挿通孔部５２の中の挿通孔５２ａ〜５２ｄ内を各リフィール２０・３０・４０・４１又はその後端に連結された連結部材が摺動するようになっている。
【００２９】
図５は本発明に係る前部軸筒内の詳細を示す断面図である。
筆記具１において、先口１０を前部軸筒１１に取り付けている。なお、前部軸筒１１と後部軸筒１２は別体でなく１個の軸筒で構成してもよい。
先口１０は出没式複合筆記具の略前端近傍に位置して略円錐形状であり、その頂点である先端に筆記先端部が突出するための孔部１０ａが形成されている。孔部１０ａの径は筆記先端部の径よりもわずかに大きく形成され、スムーズに出没可能であると共に、筆記時には孔部１０ａによって筆記先端部が支持され書きやすいように構成されている。
【００３０】
先口１０の後端部外周１０ｃにはネジ溝が形成されると共に、前部軸筒１１の取付部１１ａ内周にもネジ溝が形成され、両者が螺合することによって先口が軸筒に取り付けられている。
取り付けの態様としては、螺合する場合に限らず、単に先口を軸筒に嵌め込むことで嵌着する構成でもよいし、先口又は軸筒に凹部及び凸部のいずれかをそれぞれ設けて、凹凸部が嵌合するように構成してもよい。
さらに、接着剤を塗布し、取り付けた状態において接着させてもよい。
【００３１】
本実施例において、先口１０は金属製であり、例えば真鍮や、ステンレス、アルミニウムなどで形成している。先口１０の加工方法はプレス加工、旋盤加工など任意であるが、旋盤による切削加工によると、表面に規則正しい挽き目が形成される。
そして、本発明のように先口と軸筒を別体で構成した場合、その製造工程は、前部軸筒１１内に各リフィール２０・３０を配置した後、先口１０を螺合して完成させる順序となる。
【００３２】
従来は以上のような構成のみであったため、各リフィール２０・３０の出没時にその筆記先端部が先口１０の内周面１０ｄに接触し、金属製の芯挿通管２１やチップ３１との間で摩擦し、不快な接触音が生じていた。特に本実施例のような出没式複合筆記具では、リフィール２０・３０の筆記先端部が出没時に先口１０の傾斜辺に沿って変移し、その際にリフィール２０・３０が傾斜することで筆記具軸心にある孔部１０ａから突出するようになっていることから、必ず内周面１０ｄへの接触が生じる。
【００３３】
また、頻繁に摩擦することで、シャープペンシルにおいては芯２２の折れや芯挿通管２１の損傷、ボールペンにおいてはチップ３１の損傷や転写ボール３２の脱落など、動作不良の原因にもなる。
上記のように挽き目が生じると、挽き目は円周方向の多数の凹凸から成るため、出没時の各リフィール２０・３０との摩擦が著しく大きくなり、筆記先端部が引っかかったりすることもある。
【００３４】
そこで、先口１０の内周面１０ｄの略全面に樹脂被覆体６０を配設する。樹脂被覆体６０は薄い樹脂製の略円錐状体であって、先口１０の内周面１０ｄと密着する。略円錐状体の頂点は先口１０と同様に筆記先端部が出没するための孔部６０ａが形成されている。
【００３５】
本構成により樹脂被覆体６０を先口１０内周に配設することで、各リフィール２０・３０の筆記先端部は樹脂被覆体６０の内周面６０ｂに沿って動作するようになるため、円滑に出没動作が可能である。
そして、出没時の不快な音の発生や摩擦による振動、筆記先端部の損傷などが効果的に防止できる。
【００３６】
本発明は樹脂被覆体６０に加えて、前部軸筒１１の内周面に密着する位置調整管７０と、その直後方に軟性突起環８０を備えている。
位置調整管７０は単なる管体であり別に図示しないが、その前端７０ａは樹脂被覆体６０の後端に当接し、位置調整管７０の長さ分だけ、軟性突起環８０が後方に位置している。
【００３７】
このときの軟性突起環８０の位置は、シャープペンシル用リフィール２０の繰り出し機構２３など、凹凸に干渉しないだけ後方とするのが好ましい。
位置調整管７０は比較的硬度の高いＰＰ（ポリプロピレン）を用いている。その他、ＰＯＭ、ＰＥ、ＡＢＳ等の合成樹脂を適宜選択することができるが、リフィール２０・３０との摩擦を極力少なくするために表面が平滑で硬度がやや高いものが望ましい。
【００３８】
本発明に係る円環形基材である軟性突起環８０は図６（Ａ）に側面図を、（Ｂ）に正面断面図を示すように基部８１とその内周に三角形の突起８２を１２個備えている。突起８２は軸筒の軸方向に並列されたリブ状であってリフィール２０・３０が出没する方向と平行に配置されている。突起８２の間にリフィール２０・３０が沿って摺動するため摩擦が小さく円滑な動作に寄与する。
【００３９】
また、突起８２は三角形であってその先端８２ａは略点状であり、リフィールと点接触をする。このため、リフィール２０・３０と突起８２の摩擦を最低限に抑えることができる一方、リフィール２０・３０が振動して突起８２と衝突した時には、リブ構造によって確実に支持することができる。
【００４０】
軟性突起環８０の材質は、スチレン系ＴＰＥ(熱可塑性エラストマー）を用いており、硬度は４５度である。ここで軟性と呼ぶのは、概ね２０度ないし５０度程度の硬度であって、筆記具の構成部材、例えば位置調整管７０に使われる樹脂に比して軟らかいことを意味する。軟性突起環８０についても素材は適宜変更可能である。
出願人による試験によると、軟性突起は軟らかくすることで衝突音を低減させられることに寄与するが、位置調整管はそれより硬くても軸筒との衝突音は低減可能であり、逆に軟性突起と同等に軟らかいと出没時に摩擦を感じる場合があることが判明している。
【００４１】
図７に示すように本発明の突起８２の数は様々なものを用いることができる。図７（Ａ）のように１６本、（Ｂ）のように２４本などでもよい。基本的には多い方が振動を吸収しやすいことから突起の数は多くても良いが、製造が難しくなること、リフィールとの摩擦が生じることから、突起の数は８本から２４本程度が好ましい。
【００４２】
さらに、図７（Ｃ）のようにブラシ状の突起８２を用いてもよい。この場合にはブラシが軟らかく変形しやすいこと、リフィールとの摩擦が小さいことから毛の密度は十分に密でよい。
【００４３】
上記実施例では軟性突起環８０を軸筒１１の中に嵌着する構成を示したが、本発明の軟性突起は軸筒に直接付設されていてもよい。また、位置調整管を用いず、軸筒内に直接接着して位置を合わせてもよい。
【図面の簡単な説明】
【００４４】
【図１】本発明の実施例に係る出没式複合筆記具の正面断面図。
【図２】同、正面図。
【図３】ガイド部材の断面説明図。
【図４】同、正面断面図。
【図５】本発明実施例における筆記部前部の拡大断面図。
【図６】本発明に係る円環形基材の側面図及び正面断面図。
【図７】円環形基材の別実施例。
【符号の説明】
【００４５】
１  出没式複合筆記具
１０  先口
１０ａ  孔部
１０ｃ  後端部外周
１０ｄ  内周面
１１  前部軸筒
１１ａ  取付部
２０  シャープペンシル用リフィール
２１  芯挿通管
２３  繰出し機構
３０  ボールペンリフィール
４０  ボールペンリフィール
６０  樹脂被覆体
６０ａ  孔部
６０ｂ  内周面
６０ｃ  後端部
７０  位置調整管
７０ａ  前端部
８０  軟性突起環
８１  基部
８２  突起
【図１】
0005249554.tif 000002
【図２】
0005249554.tif 000003
【図３】
0005249554.tif 000004
【図４】
0005249554.tif 000005
【図５】
0005249554.tif 000006
【図６】
0005249554.tif 000007
【図７】
0005249554.tif 000008